(57)【要約】【課題】製造コストと組立工数の削減を図ることができるとともに、組立時にＯリングの状態を目視することができる水殺菌装置を提供すること。【解決手段】水殺菌装置１の外筒ケース２をその長手方向両端が開口する筒状部材で構成し、該外筒ケース２の開口部内周に、リング状のＯリングキャプ（保持部材）５をその外周に保持されたＯリング１１，１２を介して嵌合させ、該Ｏリングキャップ５に保護管３とこれに収容された紫外線放電灯４の長手方向端部を貫通保持せしめるとともに、これらの貫通部をＯリングキャップ５の内周に保持されたＯリング１１によってシールし、外筒ケース２の開口部内周に嵌合するソケットキャップ（蓋部材）をＯリングキャップ５の外側から当て、該ソケットキャップ６を外筒ケース２の開口部内周に嵌着されたＣリング１３によって固定する。【選択図】図６
2014100690.tif 000002
【特許請求の範囲】
【請求項１】
保護管内に収容された紫外線放電灯を外筒ケース内に設置し、前記外筒ケース内を流れる水を前記紫外線放電灯から照射される紫外線によって殺菌する水殺菌装置において、
前記外筒ケースをその長手方向両端が開口する筒状部材で構成し、
該外筒ケースの開口部内周に、リング状の保持部材をその外周に保持されたＯリングを介して嵌合させ、該保持部材に前記保護管とその内部に収容された前記紫外線放電灯の長手方向端部を貫通保持せしめるとともに、これらの貫通部を保持部材の内周に保持されたＯリングによってシールし、
前記外筒ケースの開口部内周に嵌合する蓋部材を前記保持部材の外側から当て、該蓋部材を外筒ケースの開口部内周に嵌着されたＣリングによって固定したことを特徴とする水殺菌装置。
【請求項２】
前記保持部材の内外周に片溝をそれぞれ形成し、これらの片溝に前記Ｏリングをそれぞれ嵌合保持せしめたことを特徴とする請求項１記載の水殺菌装置。
【請求項３】
前記蓋部材に孔を形成し、前記紫外線放電灯の長手方向両端に接続された給電線を前記蓋部材の孔を通して前記外筒ケースの外部に取り出したことを特徴とする請求項１又は２記載の水殺菌装置。
【発明の詳細な説明】
【技術分野】
【０００１】
本発明は、紫外線放電灯から照射される紫外線によって水を殺菌処理するための水殺菌装置に関するものである。
【背景技術】
【０００２】
例えば、浄水器やウォータークーラー、加湿器等に使用される水を殺菌処理する水殺菌装置として、紫外線放電灯から照射される紫外線によって水を殺菌する方式を採用するものが知られている。斯かる水殺菌装置は、保護管内に収容された紫外線放電灯を外筒ケース内に設置し、前記外筒ケース内を流れる水を前記紫外線放電灯から照射される紫外線によって殺菌処理するものである。
【０００３】
ところで、この種の水殺菌装置に関して、特許文献１には、外筒ケースを長手方向に２分割し、一方の分割片を袋状（有底筒状）とし、両分割片同士を螺着して外筒ケースとするとともに、他方の分割片の開口部を保護管と紫外線放電灯が貫通する部分をＯリングによって水密にシールする構成が提案されている。
【０００４】
又、特許文献２には、外筒ケースの開口部を保護管と紫外線放電灯が貫通する部分を複数のＯリングとこれを保持する保持部材及び該保持部材に螺着された締付ナットによって水密にシールする構成が提案されている。
【先行技術文献】
【特許文献】
【０００５】
【特許文献１】実開平６−０４８８８２号公報
【特許文献２】特開平７−０００９５５号公報
【発明の概要】
【発明が解決しようとする課題】
【０００６】
しかしながら、特許文献１において提案された構成では、外筒ケースの２分割された一方の分割片を袋状に成形する必要があるため、その成形が容易ではなく、製造コストが大幅にアップするという問題がある。
【０００７】
又、特許文献２において提案された構成では、Ｏリングによる水密封止構造を構成する保持部材にネジ山加工を施す必要があるため、コストアップを招く他、組立工数と組立時間が増大するという問題がある。更に、締付ナットの締め付けによってＯリングを押し込んでいく構造であるため、Ｏリングが保持部材の溝部に正常に保持されているか否かを目視することができない。このため、外筒ケースの水密封止構造の信頼性を確保するための水密性確認検査が別に必要になるという問題がある。
【０００８】
本発明は上記観点に鑑みてなされたもので、その目的とする処は、製造コストと組立工数の削減を図ることができるとともに、組立時にＯリングの状態を目視することができる水殺菌装置を提供することにある。
【課題を解決するための手段】
【０００９】
上記目的を達成するため、請求項１記載の発明は、保護管内に収容された紫外線放電灯を外筒ケース内に設置し、前記外筒ケース内を流れる水を前記紫外線放電灯から照射される紫外線によって殺菌する水殺菌装置において、
前記外筒ケースをその長手方向両端が開口する筒状部材で構成し、
該外筒ケースの開口部内周に、リング状の保持部材をその外周に保持されたＯリングを介して嵌合させ、該保持部材に前記保護管とその内部に収容された前記紫外線放電灯の長手方向端部を貫通保持せしめるとともに、これらの貫通部を保持部材の内周に保持されたＯリングによってシールし、
前記外筒ケースの開口部内周に嵌合する蓋部材を前記保持部材の外側から当て、該蓋部材を外筒ケースの開口部内周に嵌着されたＣリングによって固定したことを特徴とする。
【００１０】
請求項２記載の発明は、請求項１記載の発明において、前記保持部材の内外周に片溝をそれぞれ形成し、これらの片溝に前記Ｏリングをそれぞれ嵌合保持せしめたことを特徴とする。
【００１１】
請求項３記載の発明は、請求項１又は２記載の発明において、前記蓋部材に孔を形成し、前記紫外線放電灯の長手方向両端に接続された給電線を前記蓋部材の孔を通して前記外筒ケースの外部に取り出したことを特徴とする。
【発明の効果】
【００１２】
請求項１記載の発明によれば、外筒ケースをその長手方向両端が開口する筒状部材で構成したため、パイプの切断加工だけで外筒ケースを得ることができ、その製造コストを低く抑えることができる。又、蓋部材をＣリングによって外筒ケースの開口部内周に固定するようにしたため、外筒ケースや蓋部材へのネジ山加工が不要となり、加工コストと組立工数の削減及び組立時間の短縮を図ることができる。
【００１３】
請求項２記載の発明によれば、保持部材の内外周に形成された片溝に保持されたＯリングの状態を組立時に目視することができるため、外筒ケースの水封止構造の信頼性が高められるとともに、水密性確認検査を省略することができる。
【００１４】
請求項３記載の発明によれば、紫外線放電灯の長手方向両端に接続された給電線を蓋部材の孔を通して外筒ケースの外部に取り出したため、保護管内に給電線を通す必要がなく、これによって保護管の内径を小さくして細くすることでき、その容積の減少分だけ通水容積を増大させて処理能力を高めることができる。又、給電線は外筒ケース内を通らないため、この給電線が紫外線の陰になることがなく、紫外線放射量が増大して高い殺菌効果が得られる。
【図面の簡単な説明】
【００１５】
【図１】本発明に係る水殺菌装置の斜視図である。
【図２】本発明に係る水殺菌装置の正面図である。
【図３】本発明に係る水殺菌装置の平面図である。
【図４】本発明に係る水殺菌装置の側面図である。
【図５】図４のＡ−Ａ線断面図である。
【図６】図５のＢ部拡大詳細図である。
【図７】本発明に係る水殺菌装置の外筒ケース開口部の水密封止構造を示す分解斜視図である。
【図８】本発明に係る水殺菌装置の外筒ケース開口部の水密封止要領を示す分解斜視図である。
【発明を実施するための形態】
【００１６】
以下に本発明の実施の形態を添付図面に基づいて説明する。
【００１７】
図１は本発明に係る水殺菌装置の斜視図、図２は同水殺菌装置の正面図、図３は同水殺菌装置の平面図、図４は同水殺菌装置の側面図、図５は図４のＡ−Ａ線断面図、図６は図５のＢ部拡大詳細図、図７は同水殺菌装置の外筒ケース開口部の水密封止構造を示す分解斜視図、図８は同外筒ケース開口部の水密封止要領を示す分解斜視図である。
【００１８】
本実施の形態に係る水殺菌装置１は、図５に示すように、円筒状の外筒ケース２の軸中心部に保護管３とその内部に収容された紫外線放電管４を配置して構成されており、外筒ケース２の長手方向両端の開口部は、水密封止構造を備える保持部材であるＯリングキャップ５と蓋部材であるソケットキャップ６によってそれぞれ閉塞されている。
【００１９】
上記外筒ケース２は、その長手方向両端が開口する円筒状部材によって構成されており、紫外線による品質劣化が比較的少ない硬質塩化ビニルパイプやフッ素系樹脂パイプを切断加工することによって得られる。そして、外筒ケース２の長手方向両端上部には、図５に示すように流入口２ａと流出口２ｂがそれぞれ形成されており、これらの流入口２ａと流出口２ｂにはＬ字状に屈曲したプラグ７，８がそれぞれ取り付けられている。尚、図示しないが、プラグ７，８には給水パイプと排水パイプがそれぞれ接続されている。
【００２０】
前記保護管３は、その長手方向両端が開口する円筒状部材として構成されており、その材質には紫外線の吸収が少ない石英ガラスが使用されている。そして、この保護管３の内部には細長い棒状の前記紫外線放電灯４が収容されており、該紫外線放電灯４の長手方向両端には給電線（ワイヤーハーネス）９，１０がそれぞれ接続されている。尚、本実施の形態では、紫外線放電灯４には冷陰極放電灯が使用されている。
【００２１】
ところで、外筒ケース２の長手方向両端の開口部は前述のようにＯリングキャップ５とソケットキャップ６によってそれぞれ閉塞されているが、図５〜図８に示すように、各Ｏリングキャップ５はリング状に成形されている。そして、各Ｏリングキャップ５の内外周には、図５に詳細に示すように外側（図５の右側）に向かって開口するリング状の片溝５ａ，５ｂがそれぞれ形成されており、これらの片溝５ａ，５ｂには大小異径のＯリング１１，１２がそれぞれ嵌め込まれて保持されている。
【００２２】
上記Ｏリングキャップ５の内周には、図５に示すように、保護管３とその内部に収容された紫外線放電灯４の軸方向端部がそれぞれ挿通支持されており、その挿通部はＯリング１１によってシールされている。又、各Ｏリングキャップ５の外周は、これに嵌着されたＯリング１２を介して外筒ケース２の開口部内周に嵌合しており、該Ｏリングキャップ５の外周と外筒ケース２の開口部内周とがＯリング１２によってシールされている。
【００２３】
そして、各Ｏリングキャップ５の外側には、外筒ケース２の開口部内周に嵌合する前記ソケットキャップ６がそれぞれ当接しており、各ソケットキャップ６は、外筒ケース２の開口部内周の溝２ｃに嵌着されたＣリング１３によってそれそれ固定されている。又、各ソケットキャップ６の中心部には外方に向かって膨出する膨出部６Ａがそれぞれ形成されており、各膨出部６Ａの頂部には円孔６ａがそれぞれ形成されている。ここで、紫外線放電灯４の長手方向端部に接続された各給電線９，１０の接続端には、各ソケットキャップ６の膨出部６Ａ内に収容保持されたゴムソケット１４がそれぞれ挿通しており、各ゴムソケット１４から延びる給電線９，１０は、各ソケットキャップ６の膨出部６Ａに形成された円孔６ａを通って外筒ケース２の外部へと引き出されている。
【００２４】
ここで、外筒ケース２の開口部における水密封止構造の組付要領を図７及び図８に基づいて説明する。
【００２５】
先ず、内部に紫外線放電灯４が収容された保護管３を外筒ケース２の内部にセットしておき、Ｏリングキャップ５の内外周に形成された片溝５ａ、５ｂに図７に示すＯリング１１，１２をそれぞれ嵌め込み、これらのＯリング１１，１２が嵌め込まれたＯリングキャップ５を保護管と給電船９，１０及びゴムソケット１４に通し、該Ｏリングキャップ５を図８に示すように外筒ケース２の端部開口部の内周に嵌め込む。このとき、給電船９，１０とゴムキャップ１４はＯリングキャップ５の外部へと引き出されている。
【００２６】
次に、ソケットカップ６の膨出部６Ａに形成された円孔６ａに給電線９，１０（図８においては一方の給電線１０のみ図示）を通しタ状態で、ソケットキャップ６を外筒ケース２に既に組み込まれたＯリングキャップ５に外側から当て、最後にＣリング１３を外筒ケース２の開口部内周の溝２ｃに嵌着することによってソケットキャップ６が外筒ケース２に固定され、該外筒ケース６の内部にゴムソケット１４が収容されて外筒ケース２の開口部における水密封止構造の組み付けが完了する。
【００２７】
以上のように構成された水殺菌装置１において、不図示の電源から給電線９，１０を経て紫外線放電灯４に電圧が印加されると、該紫外線放電灯４が点灯するが、外筒ケース２内においては、不図示の給水パイプからプラグ７及び流入口２ａから流入した水が流出口２ｂからプラグ８及び不図示の排水パイプを経て排出されるが、このように外筒ケース２内を流れる水に紫外線放電灯４から出射する紫外線が照射されると、この紫外線の殺菌作用によって水が殺菌処理される。
【００２８】
而して、本実施の形態に係る水殺菌装置１においては、外筒ケース２をその長手方向両端が開口する円筒状部材で構成したため、パイプの切断加工だけで外筒ケース２を得ることができ、その製造コストを低く抑えることができる。
【００２９】
又、ソケットキャップ６をＣリング１３によって外筒ケース２の開口部内周に固定するようにしたため、外筒ケース２やソケットキャップ６へのネジ山加工が不要となり、加工コストと組立工数の削減及び組立時間の短縮を図ることができる。
【００３０】
そして、本発明に係る水殺菌装置１においては、Ｏリングキャップ５の内外周に形成された片溝５ａ，５ｂに保持されたＯリング１１，１２の状態を組立時に目視することができるため、外筒ケース２の開口部の水封止構造の信頼性が高められるとともに、従来必要であった水密性確認検査を省略することができる。
【００３１】
更に、本実施の形態では、紫外線放電灯４の長手方向両端に接続された給電線９，１０をソケットキャップ６の膨出部６Ａに形成された円孔６ａを通して外筒ケース２の外部に取り出したため、保護管３内に給電線９，１０を通す必要がなく、これによって保護管３の内径を小さくして細くすることでき、その容積の減少分だけ通水容積を増大させて処理能力を高めることができる。又、給電線９，１０は外筒ケース２内を通らないため、これらの給電線９，１０が紫外線の陰になることがなく、紫外線放射量４が増大して高い殺菌効果が得られる。
【産業上の利用可能性】
【００３２】
本発明は、浄水器、ウォータークーラー、加湿器、食器洗い洗浄器、洗濯機、歯科用デンタルチェア等に使用される水殺菌装置に対して好適に適用可能である。
【符号の説明】
【００３３】
１          水殺菌装置
２          外筒ケース
２Ａ        外筒ケースの厚肉部
２ａ        外筒ケースの流入口
２ｂ        外筒ケースの抽出口
２ｃ        外筒ケースの溝
３          保護管
４          紫外線放電灯
５          Ｏリングキャップ（保持部材）
５ａ，５ｂ  Ｏリングキャップの片溝
６          ソケットキャップ（蓋部材）
６Ａ        ソケットキャップの膨出部
６ａ        ソケットキャップの円孔（孔）
７，８      プラグ
９，１０    給電線
１１，１２  Ｏリング
１３        Ｃリング
１４        ゴムソケット
【図１】
2014100690.tif 000003
【図２】
2014100690.tif 000004
【図３】
2014100690.tif 000005
【図４】
2014100690.tif 000006
【図５】
2014100690.tif 000007
【図６】
2014100690.tif 000008
【図７】
2014100690.tif 000009
【図８】
2014100690.tif 000010